(57)【特許請求の範囲】
【請求項１】
外側フレームの上方に連結フレームを介して内側フレームを形成し該内側フレームの中心にポールを支持する支持板を設け、該支持板の下方に鈴を吊下げるようにしたフレーム本体を具備し、上記ポールの下端に回り止めの頭部を有するボルトをねじ込み、上記支持板に上記ボルトの頭部が通過できる大きさの挿入孔と該挿入孔に続いてボルトの軸部が通過できる大きさのスライド孔を形成すると共に該支持板の下面にキャッチ部材を固定し、該キャッチ部材に上記頭部を収納する差込溝を形成し、上記挿入孔から挿入したボルトの頭部をキャッチ部材の差込溝に回り止め状態で保持した状態でポールを回転して該ボルトを締付若しくは弛緩できるようにしたことを特徴とするグラウンドゴルフ用ホールポスト。
【請求項２】
上記キャッチ部材の差込溝は、上記挿入孔から差し込んだボルトの頭部を受け入れるよう外側に位置する拡大溝部と、上記スライド孔に沿ってボルトを移動させた際該頭部が入り込んで係合するよう中心側に位置する係合溝部を有し、該拡大溝部と係合溝部の間には、ボルトを移動する際に該ボルトの頭部が当って頭部の方向を係合溝部に沿った方向に揃えるよう当り部が形成されている請求項１に記載のグラウンドゴルフ用ホールポスト。
【請求項３】
上記ボルトの頭部は６角形に形成され、上記拡大溝部の幅は該頭部の対角よりも広く形
成され、上記係合溝部の幅は拡大溝部の幅より狭くかつ該頭部が回転せずに摺動可能な幅
に形成され、拡大溝部から係合溝部に至る溝幅の変化点の対向位置をずらして設け、拡大溝部側に位置する変化点を上記当り部とした請求項２に記載のグラウンドゴルフ用ホールポスト。
【請求項４】
上記挿入孔の縁部にはボルトの頭部を挿入孔内に位置させるストッパーが設けられている請求項１から４のいずれかに記載のグラウンドゴルフ用ホールポスト。
【請求項５】
上記ストッパーは、支持板に固定した連結フレームの先端により構成されている請求項４に記載のグラウンドゴルフ用ホールポスト。
【請求項６】
上記鈴は、上記キャッチ部材に取付ねじで吊り下げられている請求項１から５のいずれかに記載のグラウンドゴルフ用ホールポスト。
【請求項７】
上記取付ねじは、鈴を取り付け後、キャッチ部材に固定される請求項６に記載のグラウンドゴルフ用ホールポスト。
【発明の詳細な説明】
【技術分野】
【０００１】
本発明は、グラウンドゴルフにおいて競技者がショットした打球を打ち込んで停止（トマリ）させるホールポストに関するものである。
【背景技術】
【０００２】
グラウンドゴルフは、ボールをホールポストにより形成された枠線状のフレーム内に打ち込んで静止させる競技であり、このホールポストには、ホール番号を示す旗を取り付けるためのポールがフレームの上方に起立され、フレーム内には該フレーム内に打ち込んだボールが当って鳴動するよう鈴が吊下げられている。
【０００３】
上記ホールポストのフレーム本体は、下方に位置する円形状の外側フレームと、該外側フレームの上方に設けられ連結フレームにより支持された内側フレームと、内側フレームの中心に設けられた支持板を具備し、従来のホールポストでは支持板の上面にポールの下端を当て、支持板の下面に筒状の鈴を位置し、該鈴の内方から上方に向けてボルトを支持板に差し込み、このボルトの先端を上記ポールの下端にねじ込んでポールを支持板に固定している。このような構造の場合、ポールと鈴を支持板に取り付けるときに、ボルトを押えながらポールを何回も回転させなければならず、手間がかかり、面倒であるので、ポールの下端に鈴を取り付けてからポールをフレームの支持板に着脱自在に支持できるようにしたホールポストが知られている（例えば特許文献１参照）。しかし、この特許文献１に記載されているホールポストは、ポールの下端外周面に雄ねじを形成し、この雄ねじを支持板に形成した雌ねじにねじ込む形式であるが、支持板の厚さが薄いため、雌ねじの長さが短くてねじ山が少なく、そのため、ねじが噛んだり、簡単にねじ込めなかったり、不確実に固定されることがあり、種々問題があった。    
【先行技術文献】
【特許文献】
【０００４】
【特許文献１】特開平１１−１５１３３３号公報（請求項２、段落００１２、図５）
【発明の概要】
【発明が解決しようとする課題】
【０００５】
本発明の解決課題は、グラウンドゴルフ用ホールポストにおいて、ポールを簡単かつ確実にフレーム本体の支持板に着脱できるようにしたグラウンドゴルフ用ホールポストを提供することである。
【課題を解決するための手段】
【０００６】
本発明によれば、外側フレームの上方に連結フレームを介して内側フレームを形成し該内側フレームの中心にポールを支持する支持板を設け、該支持板の下方に鈴を吊下げるようにしたフレーム本体を具備し、上記ポールの下端に回り止めの頭部を有するボルトをねじ込み、上記支持板に上記ボルトの頭部が通過できる大きさの挿入孔と該挿入孔に続いてボルトの軸部が通過できる大きさのスライド孔を形成すると共に該支持板の下面に上記頭部を収納しかつ回転不能に保持できる差込溝を形成したキャッチ部材を設け、上記挿入孔から挿入したボルトの頭部をキャッチ部材の差込溝に回り止め状態で保持した状態でポールを回転して該ボルトを締付若しくは弛緩できるようにしたことを特徴とするグラウンドゴルフ用ホールポストが提供され、上記課題が解決される。
【０００７】
また、本発明によれば、上記グラウンドゴルフ用ホールポストにおいて、上記キャッチ部材の差込溝は、上記挿入孔から差し込んだボルトの頭部を受け入れるよう外側に位置する拡大溝部と、上記スライド孔に沿ってボルトを移動させた際該頭部が入り込んで係合するよう中心側に位置する係合溝部を有し、該拡大溝部と係合溝部の間には、ボルトを移動する際該ボルトの頭部の方向を係合溝部に沿った方向に揃えるよう頭部が当る当り部が形成され、好ましくは上記挿入孔の縁部にはボルトの頭部を挿入孔内に位置させるストッパーが設けられている上記グラウンドゴルフ用ホールポストが提供される。
【発明の効果】
【０００８】
本発明は、上記のように構成され、外側フレームの上方に連結フレームを介して内側フレームを形成し該内側フレームの中心にポールを支持する支持板を設け、該支持板の下方に鈴を吊下げるようにしたフレーム本体を具備し、上記ポールの下端に回り止めの頭部を有するボルトをねじ込み、上記支持板に上記ボルトの頭部が通過できる大きさの挿入孔と該挿入孔に続いてボルトの軸部が通過できる大きさのスライド孔を形成すると共に該支持板の下面に上記頭部を収納しかつ回転不能に保持できる差込溝を形成したキャッチ部材を設け、上記挿入孔から挿入したボルトの頭部をキャッチ部材の差込溝に回り止め状態で保持した状態でポールを回転して該ボルトを締付若しくは弛緩できるようにしたから、ポールを支持板上に起立して下端にねじ嵌めしたボルトを支持板の挿入孔に挿入し、スライド孔に沿って移動させ差込溝でボルトの頭部の回転を停止させた状態でポールを回転すれば、ボルトは支持板を挟んだ状態でポールの下端に強くねじ込まれ、ポールを支持板上に固定することができる。そして、ポールを逆方向に回転すれば、ねじが緩んでポールをスライド孔に沿って挿入孔方向に移動させることができ、ポールをフレーム本体から簡単に取り外すことができる。
【０００９】
また、上記差込溝を拡大溝部と係合溝部で構成し、該拡大溝部と係合溝部の間にボルトの頭部の向きを係合溝部に沿った方向に揃えるよう頭部が当る当り部を設けると、ボルトをスライド孔に沿って移動させる際、ボルトの頭部を簡単かつ確実に係合溝部に係合させることができ、いちいち頭部の向きを気にする必要がないので、操作性がよい。上記挿入孔の縁部に、ボルトの頭部を挿入孔内に位置させるようストッパーを設けると、ポールを外す際上記挿入孔に入り込んだボルトの頭部が挿入孔の縁に引かかるおそれがなく、ポールを容易に取り外すことができる。
【図面の簡単な説明】
【００１０】
【図１】本発明のホールポストの一実施例を示す斜視図。
【図２】フレーム本体部分の拡大斜視図。
【図３】フレーム本体部分の断面図。
【図４】分解斜視図。
【図５】キャッチ部材の差込溝の説明図。
【図６】ボルトが移動する際の説明図。
【図７】支持板の裏面の一実施例を示す斜視図。
【図８】他の実施例を示す説明図。
【図９】図８に示す実施例の断面図。
【発明を実施するための形態】
【００１１】
図１〜図４は、本発明の一実施例を示し、グラウンドゴルフ用のホールポスト１のフレーム本体２は、枠線で略円形に形成された外側フレーム３と、該外側フレーム３から上方に立ち上がる連結フレーム４により支持され該外側フレームと同心円状に設けられた内側フレーム５を有し、該内側フレーム５の中心にはポール６や鈴７を支持する支持板８が設けられている。このポール６は、連接可能な複数本の部材で構成され、上方にはホール番号を示す旗９が設けられている。
【００１２】
上記ポール６の下端に設けたブロック片には、図３、図４に示すように、ボルト１０がねじ着され、フレーム本体に取り付ける前の状態では完全に締め込まずに上記ブロック片の下面から数ｍｍ程度隙間を空けた状態でねじ嵌めされている。該ボルトとしては、通常の６角ボルト、すなわち、スパナ（図示略）を係合して該ボルトを回転させための回り止め用の６角形の頭部１１を軸部１２の先端に形成した通常の６角ボルトを使用しているが、軸部より大径の回り止め可能な４角形、楕円形その他種々の形状の頭部を有するボルトを用いてもよい。また、ねじ部の長さはボルトを緩めてポールを持ち運ぶ際に簡単に抜け落ちない程度の長さにしてあり、所望によりボルトの内方端に抜け止め部材を設けることもできる。（図示略）
【００１３】
図４に示すように、上記支持板８には、上記ボルト１０の頭部１１が通過できる大きさの挿入孔１３が形成され、該挿入孔１３から支持板８の中心に向かってボルトの軸部１２が通過できる大きさで支持板のほぼ中心まで伸びるスライド孔１４が連続して設けられている。具体的には、上記挿入孔１３は、６角ボルトの頭部１１の対角寸法よりも少し大きい程度の内径の略円形に形成されているのでボルトを抜き差しできるが、スライド孔１４にボルト１０の軸部１２が位置しているとき、上記頭部１１が支持板８の下面に当るので、ボルト１０を支持板８から外すことはできない。
【００１４】
上記支持板８の下面（裏面）には、挿入孔１３から入り込んだボルトの上記頭部１１を
挿通可能に支持板の下面との間に収納する差込溝１５を形成したキャッチ部材１６が形成され、該差込溝１５が上記スライド孔１４と同方向に並ぶように支持板８に接着、溶着等により固定されている。該差込溝１５は、上記挿入孔１３から差し込んだボルト１０の頭部１１を受け入れるよう外側に位置する拡大溝部１７と、上記スライド孔１４に沿ってボルト１０を移動させた際該頭部１１が入り込んで係合するよう中心側に位置する係合溝部１８を有する。この拡大溝部１7の幅は、頭部１１を容易に抜き差しできるよう図５に示すように、６角ボルトの頭部１１の対角の長さ（間隔）より広く幅広に形成されている。中心側の係合溝部１８の幅は、上記拡大溝部の幅より狭く、ボルトの頭部１１を受入れて回転せずに摺動させることができるよう６角ボルトの頭部１１の対辺の長さ（間隔）よりも僅かに広い幅に形成されている。
【００１５】
該拡大溝部１７と係合溝部１８の溝幅の変化点の位置は、図５に示すようにずらしてあり、拡大溝部側に位置する変化点がボルトを中心方向に移動する際にボルトの頭部１１の角が当る当り部１９となっている。すなわち、図５に示すように、溝の対向間隔は、変化点を境に中心に向かって、Ａ部、Ｂ部、Ｃ部と次第に狭くなり、ボルトを移動する際、図６に示すように当り部１９に頭部１１の角が当ると、頭部１１は回転して６角形の一辺が係合溝部１８に沿った方向になり、ボルトの頭部１１の方向が係合溝部１８の壁面に沿った方向に揃えられ、頭部１１を係合溝部１８に容易に係合させることができる。このようにすれば、６角ボルトの頭部がどのような位置にあっても、正しい位置に矯正することができるので、組み付けの際にボルトの向きに注意する必要がない。なお、実施例において、上記差込溝は両端が開口しているが、一方側のみを開口させることもでき、上記当り部１９は、溝とは別に支持板の下面等に独立して設けてもよい。
【００１６】
上記支持板８の挿入孔１３の縁部には、好ましくはボルト１０の頭部１１を挿入孔１３内に位置させるようストッパー２０を設けることができる。このストッパー２０は、支持板８の下面に独立して形成してもよいが、図７に示すように、連結フレーム４の一つの上端を上記スライド孔１４の延長線上に伸ばし、その先端を挿入孔１３の縁部に臨んで位置させてストッパー２０とするとよい。このようにすれば、ボルト１０を挿入孔１３から外す際、頭部１１が挿入孔１３内に収まっているので、ボルトが挿入孔に引っからないようにでき、取り出しやすい。
【００１７】
上記鈴７は、従来のように筒状に形成され、上部に吊下孔２１を有し、図４に示すように、下方から差込んだ取付ねじ２２を上記キャッチ部材１６に形成したねじ孔２３にねじ込むことにより揺動可能に吊下げられている。なお、鈴７を取り付け後、この取付ねじ２２をキャッチ部材１６に接着、溶着等により固定し、鈴を取り外し不能に吊り下げてもよい。この場合、フレーム本体を積み重ねるとき、鈴７が充分横方向に大きく首をふる程度に傾斜できるようにすれば、鈴７を取り外さなくてもフレーム本体２を積み重ねることができる。
【００１８】
上記ホールポスト１をグラウンドゴルフ場で使用するには、ポール６の下端に緩くねじ込んである上記ボルト１０の頭部１１を支持板８の挿入孔１３に差し込み、スライド孔１４に沿って中心方向に移動させてポール６を回転すれば、ボルト１０は殆どポール６にねじ込まれているので、半回転程度するだけ締まり、簡単にポール６をフレーム本体２に固定することができる。鈴７は予めフレーム本体２に吊り下げておけばよい。このようにして、ポールの設定作業が短時間で終了し、準備時間を短縮することができる。また、ポールを上述と逆方向に回転すれば、ボルトが緩んでフレーム本体からポールを簡単に取り外すことができ、片付け作業を大幅に短縮することができる。上記ポールは、従来品をそのまま利用できるので、経済的に得られる。
【００１９】
上記実施例においては、支持板と別体に形成したキャッチ部材を支持板に固定するようにしてあるが、支持板とキャッチ部材を一体的に設けてもよい。例えば、図８、図９に示すように支持板８の一部に上記スライド孔１４に沿ってプレス加工により下方の屈曲する枠片２４を対向して形成し、該枠片２４間を差込溝１５の係合溝部１８としたキャッチ部材１６とすることもできる。この場合、枠片の一方の端部を他方の枠片の端部とずらして設け、外側の端部をボルト１０の頭部１１が当る当り部１９とすればよい。なお、支持板８の下面にブラケット２５を溶着等で固定し、このブラケット２５に固定した支持ピン２６に鈴７を揺動可能に吊り下げるようにしてもよい。
【符号の説明】
【００２０】
１    ホールポスト
２    フレーム本体
６    ポール
７    鈴
８    支持板
１０  ボルト
１１  頭部
１２  軸部
１３  挿入孔
１４  スライド孔
１５  差込溝
１６  キャッチ部材
１７  拡大溝部
１８  係合溝部
１９  当り部
２０  ストッパー
【図１】
0005753421.tif 000002
【図２】
0005753421.tif 000003
【図３】
0005753421.tif 000004
【図４】
0005753421.tif 000005
【図５】
0005753421.tif 000006
【図６】
0005753421.tif 000007
【図７】
0005753421.tif 000008
【図８】
0005753421.tif 000009
【図９】
0005753421.tif 000010